(57)【要約】      （修正有）【課題】微小粒子状物質の吸入を軽減する機能を付加した、眼鏡が曇らないためのマスクを提供する。【解決手段】マスク前面に接着固定した多層不織布カバーに、同一寸法のＨＥＰＡもしくは準ＨＥＰＡフィルターＬを接着固定し、カバーを二重構造にしたことを特徴とする。これにより、マスク前面から漏出する呼気の上昇を抑える効果を高めることができ、さらに微小粒子状物質の吸入も軽減できる。【選択図】図１０
0003183714.tif 000002
【実用新案登録請求の範囲】
【請求項１】
マスク前面に接着固定した多層不織布カバーに、同一寸法の  ＨＥＰＡ  もしくは  準ＨＥＰＡフィルター  を接着固定し、カバーを二重構造にしたことを特徴とするマスク。
【考案の詳細な説明】
【技術分野】
【０００１】本考案は、微小粒子状物質の吸入を軽減する機能を付加した、眼鏡が曇らないためのマスクに関する。
【背景技術】
【０００２】マスクをした場合に眼鏡が曇るのは、冷たい眼鏡レンズに水分を含んだ暖かい呼気が接触することにより、細かい水滴がレンズにつくことによるものである。呼気が漏れる方向の１つにマスクを通して前面から出た暖かい呼気が上昇して、レンズに接触するというものがある。マスク前面から呼気が漏れ、上昇するのを防ぐために、マスクの前面に１枚の多層不織布（以下、カバーと称す）を上辺、左辺、右辺を接着固定する。  カバーのサイズはマスクと同じ上辺長とし、左右縦辺の長さはマスクの７０〜９０％としマスクからはみ出さない寸法とする。また、下辺については上辺長より長い台形状とし、左右縦辺から中央に１０〜２０ｍｍ寄せて中央部に盛り上がった空間ができるようにする。  このカバーと同一寸法の  ＨＥＰＡ  もしくは  準ＨＥＰＡ  フィルター（以下、フィルターと称す）をカバーの裏面（顔側）の上下左右辺に接着固定することにより、眼鏡の曇り止め効果を高めることができ、また、微小粒子状物質の吸入を軽減することができる。
【先行技術文献】
【０００３】
【特許文献１】実用新案登録  第３１７６５７０号
【考案の概要】
【考案が解決しようとする課題】
【０００４】マスク前面から呼気が漏れ、上昇するのを防ぐために、マスクの前面に多層不織布の上辺、左辺、右辺を接着固定した「眼鏡が曇らないマスク」がある。（特許文献１参照）    しかしながら、カバー１枚だけでは眼鏡の曇り止め効果が薄く、微小粒子状物質の吸入を防ぎにくい。
【課題を解決するための手段】
【０００５】マスク前面に接着固定しているカバーの裏面（顔側）に更にもう１枚、カバーと同一寸法のフィルターを接着固定し、眼鏡の曇り止め効果及び微小粒子状物質の吸入軽減効果を高める。
【考案の効果】
【０００６】マスク前面に接着固定しているカバーの裏に更にもう１枚フィルターを追加することにより、マスク前面から漏出する呼気の上昇を抑える効果を高めることができ、さらに微小粒子状物質の吸入も軽減できる。
【図面の簡単な説明】
【０００７】
【図１】カバーを接着する前のマスクの前面図である。
【図２】マスク前面に接着するカバーの前面図（多層不織布）である。
【図３】マスク前面に接着するカバーの前面図（フィルター）である。
【図４】マスク前面に接着するカバーの前面図（多層不織布とフィルターの上辺・左辺・右辺・底辺を接着）である。
【図５】［図４］カバーの背面図である。
【図６】［図４］カバーの右側面図である。
【図７】カバーを前面に接着したマスクの前面図である。
【図８】カバーを前面に接着したマスクの背面図である。
【図９】カバーを前面に接着したマスクを上からみた図である。
【図１０】カバーを前面に接着したマスクを斜め下より見た図である。
【図１１】カバーを前面に接着したマスクを横からみたイメージ断面図である。
【考案を実施するための形態】
【０００８】一般に流通している不織布製の衛生マスクをベースに、フィルターのついた同じ不織布製のカバーを接着する、という考案なので実施するのは極めて容易である。マスクとカバーの間に空間ができ、呼気がマスク前面から漏れ出ることがなく、また、フィルターの追加によりその効果が高まり、微小粒子状物質の吸入軽減にもつながるのがポイントである。    直接マスクにフィルターを取り付けた場合、呼吸がしにくくなるが、カバーにフィルターを取り付けることで呼吸の困難さを回避できる。    マスクとカバー間に空間を作る工夫として、カバー形状はマスク下辺長よりもカバー下辺長が長い、台形状とする。  この考案で、平面形、プリーツ形、立体形のいずれの形状のマスクにも対応できる。
以下、図を用いて説明する。
「図２」のカバーの裏面に「図３」のフィルターを接着したものが、「図４」である。
接着部分は、「図４」の「Ａ１＆Ａ２」と「Ｂ１＆Ｂ２」の間  「Ｅ」
「Ａ１＆Ａ２」と「Ｃ１＆Ｃ２」の間  「Ｆ」
「Ｂ１＆Ｂ２」と「Ｄ１＆Ｄ２」の間  「Ｇ」
「Ｃ１＆Ｃ２」と「Ｄ１＆Ｄ２」の間  「Ｈ」
「図１」のマスクの前面に「図４」のカバーを接着した形状が「図７」である。
接着部分は、「図７」の「Ａ＆Ａ１＆Ａ２」と「Ｂ＆Ｂ１＆Ｂ２」の間  「Ｉ」
「Ａ＆Ａ１＆Ａ２」と「Ｃ＆Ｃ１＆Ｃ２」の間  「Ｊ」
「Ｂ＆Ｂ１＆Ｂ２」と「Ｄ＆Ｄ１＆Ｄ２」の間  「Ｋ」
それにより、「図１０」「図１１」の「Ｍ」のような空間を作り出すことが出来る。
「図３」「図５」「図６」「図１０」「図１１」の「Ｌ」は、フィルターを示し、このフィルターによって、眼鏡の曇り止め効果の増大及び微小粒子状物質の吸入軽減効果が図れます。
【符号の説明】
【０００９】１．「Ａ」「Ａ１」「Ａ２」「Ｂ」「Ｂ１」「Ｂ２」「Ｃ」「Ｃ１」「Ｃ２」「Ｄ」「Ｄ    １」「Ｄ２」「Ａ１＆Ａ２」「Ｂ１＆Ｂ２」「Ｃ１＆Ｃ２」「Ｄ１＆Ｄ２」は、カバ    ーとフィルターの接着位置を示す。
Ａ１は、Ａ２の位置に合わせて接着する。「Ａ１＆Ａ２」
Ｂ１は、Ｂ２の位置に合わせて接着する。「Ｂ１＆Ｂ２」
Ｃ１は、Ｃ２の位置に合わせて接着する。「Ｃ１＆Ｃ２」
Ｄ１は、Ｄ２の位置に合わせて接着する。「Ｄ１＆Ｄ２」
「Ａ＆Ａ１＆Ａ２」「Ｂ＆Ｂ１＆Ａ２」「Ｃ＆ＣＡ１＆Ａ２」「Ｄ＆Ｄ１＆Ａ２」は    、「マスク」と「カバーとフィルターの二重構造カバー」の接着位置を示す。
「Ａ１＆Ａ２」は、「Ａ」の位置に合わせて接着する。「Ａ＆Ａ１＆Ａ２」
「Ｂ１＆Ｂ２」は、「Ｂ」の位置に合わせて接着する。「Ｂ＆Ｂ１＆Ｂ２」
「Ｃ１＆Ｃ２」は、「Ｃ」の位置に合わせて接着する。「Ｃ＆Ｃ１＆Ｃ２」
「Ｄ１＆Ｄ２」は、「Ｄ」の位置に合わせて接着する。「Ｄ＆Ｄ１＆Ｄ２」
２．「Ｅ」「Ｆ」「Ｇ」「Ｈ」は、カバーとフィルターの接着部分を示す。
Ｅは、「Ａ１＆Ａ２」と「Ｂ１＆Ｂ２」の間の接着を示す。
Ｆは、「Ａ１＆Ａ２」と「Ｃ１＆Ｃ２」の間の接着を示す。
Ｇは、「Ｂ１＆Ｂ２」と「Ｄ１＆Ｄ２」の間の接着を示す。
Ｈは、「Ｃ１＆Ｃ２」と「Ｄ１＆Ｄ２」の間の接着を示す。
３．「Ｉ」「Ｊ」「Ｋ」は、「マスク」と「フィルターつきカバー」の接着部分を示す。
Ｉは、「Ａ＆Ａ１＆Ａ２」と「Ｂ＆Ｂ１＆Ｂ２」の間の接着を示す。
Ｊは、「Ａ＆Ａ１＆Ａ２」と「Ｃ＆Ｃ１＆Ｃ２」の間の接着を示す。
Ｋは、「Ｂ＆Ｂ１＆Ｂ２」と「Ｄ＆Ｄ１＆Ｄ２」の間の接着を示す。
４．「Ｌ」は、フィルターを示す
５．「Ｍ」は、空間を示す。
【図１】
0003183714.tif 000003
【図２】
0003183714.tif 000004
【図３】
0003183714.tif 000005
【図４】
0003183714.tif 000006
【図５】
0003183714.tif 000007
【図６】
0003183714.tif 000008
【図７】
0003183714.tif 000009
【図８】
0003183714.tif 000010
【図９】
0003183714.tif 000011
【図１０】
0003183714.tif 000012
【図１１】
0003183714.tif 000013